【手続補正書】
【提出日】平成18年2月13日(2006.2.13)
【手続補正１】
【補正対象書類名】明細書
【補正対象項目名】全文
【補正方法】変更
【補正の内容】
【書類名】  明細書
【発明の名称】    ２層のポケットを有する額縁
【特許請求の範囲】
【請求項１】  
（１）写真等を掲示するための額縁において、透明板１の裏側に中板２及び裏板３を設け、透明板１と中板２とにより掲示用ポケット１２の空間及び中板２と裏板３とにより保管用ポケット１３の空間を形成して２層のポケットを構成し、可動蓋８を軸９によって回転するように設け、可動蓋８を倒して当該２層のポケットの蓋をするようにした額縁本体
（２）窓の大きさが大と小の２枚の写真用窓明きマットを背中合わせにして一辺を結合させ、間に写真等を挟んで（１）の掲示用ポケット２に装入できるようにした折畳み式写真マット１４
以上の構成からなる２層のポケットを有する額縁。
【請求項２】  
前面の全部を全面透明板１５とし、全面透明板１５の裏側に２層ポケット１６を設け、蓋１７を設けて２層ポケット１６の蓋をするようにした請求項１記載の額縁。
【発明の詳細な説明】
【０００１】
【発明の属する技術分野】
この発明は、写真や絵など（以下「写真」という。）を掲示する額縁に関するもので、  ガラス等の透明板の裏側に写真の掲示用と保管用の２層のポケットを設け、写真を折畳み式写真マットに挟み、掲示用ポケットに装入して掲示するようにし、他の予備の写真を保管用ポケットに保管できるようにした額縁である。
【０００２】
【従来の技術】
従来の額縁は、写真を透明板と裏板との間に挟んで、裏板を爪でとめる方式のものが主であった。
【０００３】
他に、額縁の側面に開口部を設け、そこから透明シートまたは写真台紙とともに写真を装入する方式も考案されていた。（例えば、特許文献１、２参照）
【０００４】
また、額縁の裏側に単純に写真収納用のポケットを設けているものも考案されていた。（例えば、特許文献３参照）
【０００５】
【特許文献１】
登録実用新案第３０３８１７１号公報
【特許文献２】
登録実用新案第３０４９９１４号公報
【特許文献３】
登録実用新案第３０１１４５２号公報
【０００６】
【発明が解決しようとする課題】  
額縁に入れて掲示している写真を入れ換えたい場合、従来の裏板を爪でとめる方式では、入れ換えるのに手間がかかり、煩わしかった。
また、取り外した写真や入れ換え用の予備の写真は別途保管しなければならず、保管場所が遠かったり保管場所を忘失したりして、折角多数枚の写真を保有していても活用し難いという欠点があった。
【０００７】
更に、額縁の側面に開口部を設けてそこから写真を装入するという方式や、単純に収納用ポケットを設けているものは、開口部や収納用ポケットに蓋がないため、額縁としての外観が損なわれるという欠点があった。
【０００８】
本発明は、以上のような欠点をなくし、多数枚の写真を額縁内に保管できるとともに、掲示したい写真の入れ換えが極めて簡単、迅速にでき、かつ、額縁としての外観上の美観を損なわないようになされたものである。
【０００９】
【課題を解決するための手段】
（１）透明板１の裏側に中板２及び裏板３を設け、透明板１と中板２と枠ａ４、枠ｂ５及び枠ｃ６とにより掲示用ポケット１２及び中板２と裏板３と枠ａ４、枠ｂ５及び枠ｃ６とにより保管用ポケット１３を構成する。
（２）枠ｄ７側に可動蓋８を設け、軸９及び支軸板１０を設け、可動蓋８を軸９に取り付け、可動蓋留め板１１を設ける。
（３）別に、窓の大きさが大と小の２枚の写真用窓明きマットを背中合わせにし、一辺を結合させて間に写真を挟めるようにした折畳み式写真マット１４を設ける。
【００１０】
【発明の実施の形態】
以下，本発明の実施の形態について、図面により説明する。
（１）ガラスやプラスチック等の透明板１の裏側に中板２及び裏板３を設け、枠ａ４、枠ｂ５及び枠ｃ６とにより、掲示用ポケット１２及び保管用ポケット１３を構成する。裏板３の上端は、中板２より段差を設けて低くする。
（２）枠ｄ７側に可動蓋８を設け、軸９及び支軸板１０を設け、可動蓋８を軸９に取り付け、回転できるようにする。
（３）可動蓋留め板１１を設け、可動蓋８を倒して、枠ｄ７と可動蓋留め板１１との間に可動蓋８を挟んで保持し、掲示用ポケット１２及び保管用ポケット１３の２層のポケットの蓋をする。
（４）別に、窓の大きさが大と小の２枚の写真用窓明きマットを背中合わせにし、一辺を結合させて間に写真を挟めるようにした折畳み式写真マット１４を設ける。
【００１１】
本発明は、以上のような構成で、これを使用するときは、
（１）可動蓋８を起こし、掲示したい写真を折畳み式写真マット１４の間に挟んで掲示用ポケット１２に装入し、可動蓋８を倒して２層のポケットの蓋をすればよい。
（２）取り外した写真や他の入れ換え用の予備の写真は、保管用ポケット１３に入れて保管する。
この場合、裏板３の上端が中板２より低いため、中板２が案内板の役目を為し、写真を保管用ポケットに入れるとき入れ易い。
（３）掲示している写真を入れ換えるときは、保管用ポケット１３に保管中の写真を取り出し、その中の１枚を折畳み式写真マット１４の中の写真と入れ換えればよい。
（４）掲示したい写真の大きさに応じて、折畳み式写真マット１４の適合する方の大きさの窓を使用する。
【００１２】
なお、本発明の他の実施例として、前面の全部を全面透明板１５とし、透明板の裏側に２層ポケット１６を設け、ヒンジ１９の加工により折り曲げ可能な蓋１７で２層ポケット１６の蓋をするようにする。
ヒンジ１９の加工は、蝶番を設けたものでもよいし、プラスチック板等を使用する場合は肉薄部を設けたもの又は折り罫としたものでもよい。
【００１３】
【発明の効果】
（１）掲示したい写真の入れ換えが極めて簡単、かつ、迅速にできる。
（２）入れ換え用の予備の写真を額縁の保管用ポケットの中に多数保管することができるため、忘失や紛失することがなく、掲示したい写真を暦や季節等に応じて、いつでも即座に入れ換えることができる。
（３）掲示したい写真を掲示用ポケットに装入する前に、あらかじめ折畳み式写真マットに写真を挟んだ状態で、マット窓の写真の表示位置を調節及び確認することができる。
（４）額縁としての外観上の美観を損なわず、かつ、額縁全体の厚みが増すため重厚感が得られる。
（５）写真スタンド用、壁掛け用ともに使用できる。
（６）縦向き、横向きいずれにも使用できる。
（７）写真のほか、絵画、絵はがき、賞状、資料、ポスター、食事メニュー等にも使用できる。
【図面の簡単な説明】
【図１】
（１）本発明の背面の斜視図である。
（２）掲示用ポケット１２は、透明板１，中板２，枠ａ４，枠ｂ５及び枠ｃ６により構成する空間である。
（３）保管用ポケット１３は、中板２，裏板３，枠ａ４，枠ｂ５及び枠ｃ６により構成する空間である。
（４）折畳み式写真マット１４は、矢印Ａの方向に、掲示用ポケット１２に装入して使用      する。
（５）可動蓋８は、折畳み式写真マット１４を掲示用ポケット１２に装入後、矢印Ｂの方向に倒して使用する。
【図２】   
本発明の背面の一部断面平面図である。
【図３】
本発明のＸ−Ｘ断面図である。
【図４】
（１）本発明の他の実施例を示す背面斜視図である。
（２）蓋１７は、矢印Ｃの方向に倒して使用する。
（３）ヒンジ１９は、肉薄部を設けた加工をした場合を示している。
【符号の説明】
１  透明板
２  中板
３  裏板
４  枠ａ
５  枠ｂ
６  枠ｃ
７  枠ｄ
８  可動蓋 
９  軸
１０  支軸板
１１  可動蓋留め板
１２  掲示用ポケット
１３  保管用ポケット
１４  折畳み式写真マット
１５  全面透明板
１６  ２層ポケット
１７  蓋
１８  透明板前面マスク
１９  ヒンジ
矢印Ａ  折畳み式写真マット１４を掲示用ポケット１２に装入する方向
矢印Ｂ  可動枠８を、折畳み式写真マット１４を掲示用ポケット１２に装入後倒して使用する方向
矢印Ｃ  蓋１７を、折畳み式写真マット１４を２層ポケット１６の前側ポケットに装入後倒して使用する方向